(57)【要約】  【課題】  １フレームを待たずに、正確かつ短時間でフレーム同期が可能なフレーム同期状態検出回路を提供する。  【解決手段】  相関処理部５７は、ＴＭＣＣ信号ビット判定部５３からの複数のビット信号と、前回のＴＭＣＣ信号を記憶しているチャネル前回ＴＭＣＣ情報メモリ６０から読みだしてチャネル前回ＴＭＣＣ信号復号部５９で復号したＴＭＣＣ信号との相関を求め、相関ピーク検出部５８が相関の最大値を検出して、最大の相関値を示す部分をフレーム同期部分として検出する。ＴＭＣＣ信号復号器５４は、検出されたフレーム同期信号に基づいてＴＭＣＣ信号を復号処理する。復号結果が前回のＴＭＣＣ信号としてチャネル前回ＴＭＣＣ情報メモリ６０に記憶される。【選択図】  図６
2005348007.tif 000002
【特許請求の範囲】
【請求項１】
シンボル毎に復号される信号を用いてフレームの同期状態を検出するフレーム同期状態検出回路であって、
前回復号された上記シンボル毎復号される信号の各ビットと、今回復号すべきシンボル毎復号される信号のうちの所定ビットとの相関を求め、該求めた相関のうち最大の相関値となる部分を検出したときフレーム同期状態を検出する第１フレーム同期状態検出回路と
を備えた、フレーム同期状態検出回路。
【請求項２】
上記シンボル毎に復号される信号は、フレームの同期状態を示す特定のビットパターンの信号を含み、
上記特定のビットパターンの信号の到来を検出したとき、フレームの同期状態を検出する第２フレーム同期状態検出回路をさらに有し、
上記第１フレーム同期状態検出回路または上記１フレーム同期状態検出回路の検出信号をフレーム同期信号として出力する、
請求項１に記載のフレーム同期状態検出回路。
【請求項３】
当該第１および／または第２フレーム同期状態検出回路は、ＯＦＤＭ変復調を行うディジタル通信システムの受信装置に適用され、
上記シンボル毎に復号される信号は、ＴＭＣＣ(Transmission and Multiplexing Configuration Control）信号である、
請求項１または２に記載のフレーム同期状態検出回路。
【請求項４】
上記第１フレーム同期状態検出回路は、
前回復号されたＴＭＣＣ信号を保持するレジスタと、
今回復号すべきＴＭＣＣ信号のうち所定ビットが順次シフトされるシフトレジスタと、
上記シフトレジスタに保持された所定ビットのＴＭＣＣ信号が上記レジスタに保持されているＴＭＣＣ信号の対応するビット範囲のデータとの相関を求める相関処理回路と、
上記求めた相関の総和を演算し、演算した総和のうち最大の総和が得られたＴＭＣＣ信号の部分をフレーム同期位置として検出するフレーム同期検出回路と
を有する、
請求項３に記載のフレーム同期状態検出回路。
【請求項５】
上記第２フレーム同期状態検出回路は、
所定位置に配置される同期用の上記特定のビットパターンの信号を保持するレジスタと、
今回復号すべきＴＭＣＣ信号のうち、上記同期用の特定のビットパターンの同じビット分を、順次シフトするシフトレジスタと、
上記レジスタに保持されたビットデータと、上記シフトレジスタに入力されたビットデータとが一致したとき、フレーム同期位置を検出した信号を出力するフレーム同期検出回路と
を有する、
請求項３に記載のフレーム同期状態検出回路。
【請求項６】
放送データにＴＭＣＣ信号が挿入された信号がＯＦＤＭ変調されている信号をＯＦＤＭ復調するＯＦＤＭ復調器と、
上記ＯＦＤＭ復調データについてフレーム同期を検出し、ＴＭＣＣ信号を復号するフレーム同期／ＴＭＣＣ信号復号手段と
該フレーム同期／ＴＭＣＣ信号復号手段で検出してフレーム同期を参照して上記ＯＦＤＭ復調データを、上記誤り訂正処理して復号する誤り訂正処理復号手段と
を備え、
上記フレーム同期／ＴＭＣＣ信号復号手段は、
上記ＯＦＤＭ復調信号からＴＭＣＣ信号を抽出するＴＭＣＣ信号抽出手段と、
該抽出したＴＭＣＣ信号を復号する復号手段と、
該復号したＴＭＣＣ信号のビットを判定するＴＭＣＣ信号ビット判定手段と、
該ＴＭＣＣ信号ビット判定手段の結果を復号するＴＭＣＣ信号復号手段と、
前回のＴＭＣＣ信号を保持する前回ＴＭＣＣ信号保持手段と、
上記保持されている前回のＴＭＣＣ信号を復号するＴＭＣＣ信号復号手段と、  該復号されたＴＭＣＣ信号信号と、今回復号すべきＴＭＣＣ信号のうち、上記ＴＭＣＣ信号ビット判定手段で判定されたビットのうち所定のビットとの相関を求める相関処理手段と、
上記相関処理手段で求めた相関について、最大の相関値となる部分を検出したときフレーム同期状態を検出する第１フレーム同期状態検出手段と、
シンボル同期信号に応じてシンボルを計数し、上記第１フレーム同期状態検出手段からフレーム同期検出信号が入力されたとき計数を停止するシンボルカウンタ手段と、
上記シンボルカウンタ手段のカウント値を参照して上記ＴＭＣＣ信号ビット判定手段で判定したＴＭＣＣ信号のビットデータを復号するＴＭＣＣ信号復号手段と
を有する、
信号復号装置。
【請求項７】
上記ＴＭＣＣ信号は、フレームの同期状態を示す特定のビットパターンの信号を含み、
上記特定のビットパターンの信号の到来を検出したとき、フレームの同期状態を検出する第２フレーム同期状態検出手段をさらに有し、
上記第１フレーム同期状態検出手段または上記１フレーム同期状態検出手段の検出信号をフレーム同期信号として上記シンボルカウンタ手段に出力する、
請求項６に記載の信号復号装置。
【請求項８】
上記前回ＴＭＣＣ信号保持手段に保持されている前回ＴＭＣＣ信号を、上記ＴＭＣＣ信号復号手段における１フレームの復号の前に、該ＴＭＣＣ信号復号手段の復号結果として出力する手段をさらに有する、
請求項６または７に記載の信号復号装置。
【発明の詳細な説明】
【技術分野】
【０００１】
本発明は、たとえば、地上波ディジタル放送システムなどの通信システムにおけるフレーム同期状態検出回路とこのフレーム同期状態検出回路を用いた信号復号装置（受信装置）に関する。
【背景技術】
【０００２】
通信システムとしてディジタル放送システム、たとえば、ＯＦＤＭを適用する地上波ディジタル放送システムを例示する。
地上波ディジタル放送システムにおいては、時間方向のインターリーブ処理、ＭＰＥＧ（Moving Picture Expert Group ）の復号処理などの処理が必要であり、アナログ放送に比較して、地上波ディジタル放送システムでは通常、チャネルを選局してから映像・音声信号が再生されるまでの時間が長くなる。
【０００３】
地上波ディジタル放送システムにおいては、たとえば、特開２００３−５１７９５号公報（特許文献１）に開示されているように、シンボル毎に復号されるＴＭＣＣ(Transmission and Multiplexing Configuration Control）信号を用いて、１６シンボル分の同期検出用の基準のデータパターンと同じデータパターンが受信したか否かを比較し、受信したデータパターンが同期検出用の基準のデータパターンと一致したシンボルをフレームの最初のシンボルとして、フレーム同期検出を行う。
しかしながら、同期検出用の基準のデータパターンは１フレームに１回送出されるので、同期検出用の基準のデータパターンが送出された後は、次のフレームの同期検出用の基準のデータパターンが送出されるタイミングまで待たないと、上記フレーム同期の検出ができない。その結果、検出タイミングによってはフレーム同期の検出タイミングが遅くなる。
【０００４】
そこで、特開２００３−５１７９５号公報は、上記検出の遅れを改善するため、フレーム同期処理の結果を待たずに、すでに保持された同期タイミング情報を用いて地上波ディジタル放送システムによる放送波の復号処理を開始する技術を開示している。
【特許文献１】特開２００３−５１７９５号公報
【発明の開示】
【発明が解決しようとする課題】
【０００５】
しかしながら、特開２００３−５１７９５号公報などに開示されている技術を適用しても、依然として、下記に述べる問題が想起される。
【０００６】
（１）地上波ディジタル放送システムの受信機の電源を投入直後は、電源が切断される前に保持した同期タイミング情報を用いることになり、受信機の電源が切断された後、受信機の電源が投入されるまでの時間が長いと、保持した同期タイミング情報は電源を投入した時の同期タイミング情報とは全く異なる。その結果、整合性のない同期タイミング情報を使用することになる。
（２）上記問題は、あるチャネルを選択した後、所定時間が経過してから改めてそのチャネルを選択した場合も、そのチャネルについて保持した同期タイミング情報と、現在の送信側の同期タイミング情報とが異なるため、上記同様の問題となる。すなわち、その間のフレーム同期状態検出回路におけるシンボルカウンタは、送信側と完全に同期させる事は不可能なので、送信信号のシンボルと、受信機の持っているカウンタ値がずれてしまい、正確に同期をとることができない。
【０００７】
（３）地上波ディジタル放送システムの受信機で再生のために使用するクロックは多少時間ずれが起こる。たとえば、約１ｍｓのシンボル周期に対して１ｐｐｍのクロックのずれが生じた場合、１０3 秒（約１６分）で１シンボルのずれが起こる。このクロックのずれに伴うシンボルのずれにより、同期タイミングがずれる。
【０００８】
（４）地上波ディジタル放送システムにおいては、ノイズ、マルチパスなどの影響を排除するため、誤り訂正処理を行うことが必須となる。
誤り訂正処理のためには、シンボルの同期を正確に検出する必要がある。しかしながら、たとえば、特開２００３−５１７９５号公報に開示された技術は、同期検出を行わずに復号処理を開始してしまうので、誤り訂正処理を行う地上波ディジタル放送システムには適用できない。換言すれば、特開２００３−５１７９５号公報に開示されている技術は、ノイズ、マルチパスなどの影響を排除する誤り訂正処理のない復号処理となる。
【０００９】
（５）同期検出用の基準のデータパターンは、たとえば、１６ビット程度の限られた長さしかないので、ノイズ、マルチパスなどが多発する劣悪な環境下では同期状態を検出する確率を十分に上げることが困難である。
【００１０】
本発明の目的は、正確かつ短時間でフレーム同期が可能なフレーム同期状態検出回路を提供することにある。
また本発明の目的は、そのようなフレーム同期状態検出回路を用いた復号装置または受信装置を提供することにある。
【課題を解決するための手段】
【００１１】
本発明の第１観点によれば、シンボル毎に復号される信号を用いてフレームの同期状態を検出するフレーム同期状態検出回路であって、
前回復号された上記シンボル毎復号される信号の各ビットと、今回復号すべきシンボル毎復号される信号のうちの所定ビットとの相関を求め、該求めた相関のうち最大の相関値となる部分を検出したときフレーム同期状態を検出する第１フレーム同期状態検出回路を備えた、フレーム同期状態検出回路が提供される。
【００１２】
好ましくは、上記シンボル毎に復号される信号は、フレームの同期状態を示す特定のビットパターンの信号を含み、上記特定のビットパターンの信号の到来を検出したとき、フレームの同期状態を検出する第２フレーム同期状態検出回路をさらに有し、上記第１フレーム同期状態検出回路または上記１フレーム同期状態検出回路の検出信号をフレーム同期信号として出力する。
【００１３】
また好ましくは、当該第１および／または第２フレーム同期状態検出回路は、ＯＦＤＭ変復調を行うディジタル通信システムの受信装置に適用され、上記シンボル毎に復号される信号はＴＭＣＣ信号である。
【００１４】
本発明の第２観点によれば、放送データにＴＭＣＣ信号が挿入された信号がＯＦＤＭ変調されている信号をＯＦＤＭ復調するＯＦＤＭ復調手段と、上記ＯＦＤＭ復調データについてフレーム同期を検出し、ＴＭＣＣ信号を復号するフレーム同期／ＴＭＣＣ信号復号手段と、該フレーム同期／ＴＭＣＣ信号復号手段で検出してフレーム同期を参照して上記ＯＦＤＭ復調データを、上記誤り訂正処理して復号する誤り訂正処理復号手段とを備え、
上記フレーム同期／ＴＭＣＣ信号復号手段は、上記ＯＦＤＭ復調信号からＴＭＣＣ信号を抽出するＴＭＣＣ信号抽出手段と、該抽出したＴＭＣＣ信号を復号する復号手段と、該復号したＴＭＣＣ信号のビットを判定するＴＭＣＣ信号ビット判定手段と、該ＴＭＣＣ信号ビット判定手段の結果を復号するＴＭＣＣ信号復号手段と、前回のＴＭＣＣ信号を保持する前回ＴＭＣＣ信号保持手段と、上記保持されている前回のＴＭＣＣ信号を復号するＴＭＣＣ信号復号手段と、該復号されたＴＭＣＣ信号信号と、今回復号すべきＴＭＣＣ信号のうち、上記ＴＭＣＣ信号ビット判定手段で判定されたビットのうち所定のビットとの相関を求める相関処理手段と、上記相関処理手段で求めた相関について、最大の相関値となる部分を検出したときフレーム同期状態を検出する第１フレーム同期状態検出手段と、シンボル同期信号に応じてシンボルを計数し、上記第１フレーム同期状態検出手段からフレーム同期検出信号が入力されたとき計数を停止するシンボルカウンタ手段と、上記シンボルカウンタ手段のカウント値を参照して上記ＴＭＣＣ信号ビット判定手段で判定したＴＭＣＣ信号のビットデータを復号するＴＭＣＣ信号復号手段とを有する、信号復号装置が提供される。
【００１５】
好ましくは、上記ＴＭＣＣ信号は、フレームの同期状態を示す特定のビットパターンの信号を含み、上記特定のビットパターンの信号の到来を検出したとき、フレームの同期状態を検出する第２フレーム同期状態検出手段をさらに有し、上記第１フレーム同期状態検出手段または上記１フレーム同期状態検出手段の検出信号をフレーム同期信号として上記シンボルカウンタ手段に出力する。
【００１６】
さらに好ましくは、上記前回ＴＭＣＣ信号保持手段に保持されている前回ＴＭＣＣ信号を、上記ＴＭＣＣ信号復号手段における１フレームの復号の前に、該ＴＭＣＣ信号復号手段の復号結果として出力する手段をさらに有する。
【発明の効果】
【００１７】
本発明のフレーム同期状態検出回路によれば、たとえば、ＴＭＣＣ信号などの信号に埋め込まれているパラメータは放送毎に決められており、それらは通常、殆ど変わることがないことを活用して、前回の信号の復号結果を保持しておき、前回の信号の復号結果と今回の信号との相関を求めて、相関度が高ければ、フレーム同期がとれたとしてフレーム同期を検出するので、１フレームを待たずに、同期検出ができ、同期検出タイミングが迅速になる。
その結果として、本発明のフレーム同期状態検出回路を用いた復号装置は、迅速に復号処理が可能となる。
【００１８】
また上記本発明のフレーム同期状態検出回路においては、原則として、ユニークワードのような同期検出のための特殊なコードを用いなくてもよく、かつ、毎フレームのユニークワードの到来を待つことなく、フレームの同期をとることができる。
【００１９】
本発明のフレーム同期状態検出回路によれば、前回の復号信号を活用して、信号復号手段において、信号を復号する前に、前回の復号信号を用いて１フレームを待たずに、誤り訂正処理手段の処理を行うことができる。
【００２０】
もちろん、本発明のフレーム同期状態検出回路によれば、たとえば、ユニークワードなどの同期検出用のワードを用いてフレーム同期検出処理を行うこともできる。
【００２１】
なお、一旦、フレーム同期がとれた後も、フレーム同期が外れていないかを確認するために、フレーム同期の捕捉と同じ様な処理を行う必要があるが、本発明のフレーム同期状態検出回路においては、相関処理手段における多数のビットとの比較を用いる事が出来るので、より正確なフレーム同期検出を行うことが出来る。
【００２２】
また本発明のフレーム同期状態検出回路によれば、ノイズ、マルチパスの影響など、劣悪な環境化でも安定したフレーム同期の検出が可能となる。
【００２３】
さらに本発明のフレーム同期状態検出回路によれば、電源投入から、そのチャンネルが最初に選択された場合でも使え、チャンネル選択の時間間隔が大きく開いても、全く問題なく動作する。
【００２４】
上述した本発明のフレーム同期状態検出回路を信号復号装置、受信装置、テレビジョン受像機などに適用すると、これらにおいても上述した効果を奏することができる。
【発明を実施するための最良の形態】
【００２５】
地上波ディジタル放送システム
図１〜図４を参照して本発明のフレーム同期状態検出回路および信号復号装置（受信装置）が適用される１例としての地上波ディジタル放送システムについて述べる。
図１は本発明のフレーム同期状態検出回路および信号復号装置（受信装置）が適用される１例としての、直交周波数分割マルチプレクシング（ＯＦＤＭ：Orthogonal Frequency Division Multiplexing) 変調を適用した地上波ディジタル放送システム、たとえば、ＩＳＤＢ−Ｔ (日本ディジタル地上波放送）システムの概略構成図である。なお、図１はＩＳＤＢ−Ｔの概略構成を図解しており、本発明に関係しない部分の図解は省略している。
【００２６】
ＩＳＤＢ−Ｔシステムは、送信装置１０と受信装置２０とを有する。
送信装置１０は、データ生成部１１と、ＴＭＣＣ信号生成部１２と、ＴＭＣＣ信号挿入部１３と、逆高速フーリエ変換（ＩＦＦＴ：Inverse Fast Fourier Transfer)）処理部１４と、パラレル／シリアル変換器（Ｐ／Ｓ変換器）１５と、無線送信部１６と、送信用アンテナ１７とを有する。
受信装置２０は、受信用アンテナ２１と、チューナー２２と、シリアル／パラレル変換器（Ｓ／Ｐ変換器）２３と、高速フーリエ変換（ＦＦＴ：Fast Fourier Transfer ）処理部２４と、誤り訂正処理部２５と、フレーム同期／ＴＭＣＣ信号復号部２６とを有する。
【００２７】
送信装置１０の動作を述べる。
データ生成部１１は受信装置２０において復号の対象となるデータである放送信号、たとえば、映像信号、音声信号および制御信号を生成する。
ＴＭＣＣ信号生成部１２は、送信およびマルチプレクシング構成制御信号（ＴＭＣＣ：Transmission and Multiplexing Configuration Control 信号）を生成する。
ＴＭＣＣ信号挿入部１３は、図２に図解したように、データ生成部１１から出力されたデータにＴＭＣＣ信号を挿入する。
図２はデータにＴＭＣＣ信号を挿入した信号波形図である。横軸は周波数を表し、縦軸は振幅を表している。ＴＭＣＣ信号は所定の周波数のデータの間に挿入される。
【００２８】
ＩＦＦＴ処理部１４は、データにＴＭＣＣ信号が挿入された信号をまとめて逆高速フーリエ変換処理してＯＦＤＭ変調を行う。
Ｐ／Ｓ変換器１５は、ＯＦＤＭ変調されたパラレル信号をシリアル信号に変換する。
無線送信部１６は、Ｐ／Ｓ変換器１５の出力信号を無線周波数（ＲＦ）信号に変換し、送信用アンテナ１７から受信装置２０に向けて空中に放出する。
【００２９】
受信装置２０の動作を述べる。
受信用アンテナ２１は送信用アンテナ１７から送出されたＲＦ信号を受信する。
受信用アンテナ２１で受信した信号は、ノイズが重畳されていたり、マルチパスの影響を受けている可能性があるが、ＯＦＤＭ変調はこの種の外乱の影響を受けにくいという特長を有する。
チューナー２２は受信用アンテナ２１で受信した複数のチャネルについてのＲＦ信号のうち、ユーザが指定した所望のチャネルの信号を取り出し、ベースバンドの信号に変換する。
Ｓ／Ｐ変換器２３は、チューナー２２で取り出したベースバンドのシリアル信号をパラレル信号に変換する。
ＦＦＴ処理部２４は、Ｓ／Ｐ変換器２３の出力信号を高速フーリエ変換して、すなわち、ＩＦＦＴ処理部１４と逆の処理を行ってＯＦＤＭ復調処理し、データに対してＴＭＣＣ信号が挿入された信号からデータを取り出す。
誤り訂正処理部２５は、ＦＦＴ処理部２４で取り出したデータについて誤り訂正処理をして、データ生成部１１で生成されたデータに対応するデータを復号する。
【００３０】
誤り訂正処理部２５における誤り訂正において、ＴＭＣＣ信号に埋め込まれた符号化率や、フレーム同期の情報が必要となる。そこで、フレーム同期／ＴＭＣＣ信号復号部２６は、ＦＦＴ処理部２４の出力信号を基に、ＴＭＣＣ信号の復号処理（デコード）およびフレーム同期信号を検出する。フレーム同期／ＴＭＣＣ信号復号部２６の詳細は後述する。
【００３１】
図３はＴＭＣＣ信号の構成図である。
ＴＭＣＣ信号は、本実施の形態においては、全部で２０４ビット用意され、ＴＭＣＣ信号挿入部１３において、たとえば、差動バイナリシフトキーイング（DBPSK(Differential Binary Shift Keying）方式で変調され、図２に示すように所定のサブキャリアに割り当てられて送信される。
この際、１個のＯＦＤＭシンボル中のＴＭＣＣ信号用のキャリアには全て同じ１ビットのデータが割り当てられる。よって２０４０個のＯＦＤＭシンボルで１つのＴＭＣＣ信号（２０４ビット）を持つことになる。この２０４シンボルを１つのまとまりとして１フレームと呼ぶ。
【００３２】
図４はＴＭＣＣ信号の２０４ビットがどのような情報（信号）を持つかを図解した図である。ＴＭＣＣ信号は下記の構成を持つ。
（１）ｔ0 ：１ビットの差動バイナリシフトキーイング方式の変調の基準とな              るデータ
（２）ｔ1 〜ｔ16：フレーム同期検出用に既知のユニークワードと呼ばれる１              ６ビットの同期検出用信号
ユニークワードＷ１、Ｗ２は、たとえば、下記の値を示す。
Ｗ１＝００１１０１０１１１１０１１１０
Ｗ２＝１１００１０１００００１０００１
本実施の形態におけるユニークワードＷ１とＷ２とは、反転した値を持ち、１フレームごとに交互に来る。
（３）ｔ17〜ｔ19：３ビットのセグメント識別情報
同期変調か差動変調かを識別する情報など
（４）ｔ20〜ｔ121 ：１０２ビットのＴＭＣＣ信号
変調方式、符号化率、インターリーブ長等のデータの復号に必要な情報
（５）ｔ122 〜ｔ203 ：８２ビットのパリティビット
（１）〜（４）のデータ（情報）をＤＳＣＣ符号（差集合巡回符号）化したパリティビット
【００３３】
このように、ＴＭＣＣ信号を正しく取り出すにはまず、フレームの先頭の場所を見つける必要があり、そのためにユニークワードが付加されている。すなわち、ユニークワードは各フレームの同期検出用の基準データである。
よって、受信装置２０のフレーム同期／ＴＭＣＣ信号復号部２６は受信され、ＦＦＴ処理部２４から出力されたデータが、ユニークワードＷ１またはＷ２と一致しているか否かを検出し、一致しているときは、フレームの同期が検出されたとして、フレーム同期検出信号Ｓ２６を誤り訂正処理部２５に出力する。
誤り訂正処理部２５はフレーム同期検出信号Ｓ５０が入力されたとき、フレーム同期検出信号Ｓ２６をフレームの開始として、ＦＦＴ処理部２４から出力されたデータについて誤り訂正処理を行う。
受信装置２０は、誤り訂正処理部２５で誤り訂正処理した放送信号を、たとえば、テレビジョン受像機に送出して再生させる（復号する）。
【００３４】
第１実施の形態のフレーム同期／ＴＭＣＣ信号復号部
図５を参照して、本発明の第１実施の形態のフレーム同期／ＴＭＣＣ信号復号部５０について述べる。
フレーム同期／ＴＭＣＣ信号復号部５０は、図１の受信装置２０のフレーム同期／ＴＭＣＣ信号復号部２６部分に適用される。
本発明の第１実施の形態のフレーム同期／ＴＭＣＣ信号復号部５０は、ＴＭＣＣ信号抽出部５１と、差動復号部５２と、ＴＭＣＣ信号ビット判定部５３と、ＴＭＣＣ信号復号器５４と、シンボルカウンタ５５と、フレーム同期検出部５６とを有する。
【００３５】
ＴＭＣＣ信号抽出部５１は、ＦＦＴ処理部２４から信号が印加された信号のうち、ユーザが指定したチャネルのＴＭＣＣ信号を抽出して、差動復号部５２に出力する。
差動復号部５２は、抽出されたＴＭＣＣ信号を差動復号する。
ＴＭＣＣ信号ビット判定部５３は、差動復号部５２において復号したＴＭＣＣ信号のビットの判定を行い、ＴＭＣＣビットを取り出して、フレーム同期検出部５６のシフトレジスタに入力する。
【００３６】
フレーム同期信号検出部５６は、ＴＭＣＣ信号ビット判定部５３で取り出されたＴＭＣＣビットが、メモリに格納されている１６ビットのユニークワードＷ１またはＷ２のいずれかに一致しているか否かを検出する。
フレーム同期信号検出部５６は、たとえば、１６ビット分の１ビット遅延回路（ＤＬ）が従属接続されて構成された第１シフトレジスタ５６１と、コンパータ５６２と、１６ビット分の１ビット遅延回路（ＤＬ）が従属接続されて構成された第２シフトレジスタ５６３とで構成されている。
第２シフトレジスタ５６３には、ユニークワードＷ１および／またはＷ２が保持される。
第１シフトレジスタ５６１には、ＴＭＣＣ信号ビット判定部５３で取り出された１６ビットのＴＭＣＣ信号が順次入力されて、シンボル同期信号に応じて受信したシンボルごと、１ビット遅延回路（ＤＬ）を順次転送されていく。
コンパータ５６２は、第２シフトレジスタ５６３に保持されているユニークワードと、第１シフトレジスタ５６１を転送されていくＴＭＣＣ信号ビット判定部５３で取り出されたＴＭＣＣ信号とが一致したとき、フレーム同期を検出したとして、フレーム同期検出信号Ｓ５６をシンボルカウンタ５５に出力する。
なお、ユニークワードＷ１およびＷ２はフレームごと交互に到来するから、第２シフトレジスタ５６３は、２個のユニークワードＷ１およびＷ２を保持する構成にしておき、コンパータ５６２が交互にユニークワードＷ１またはＷ２を読みだして上記比較判定処理をしてもよいし、ユニークワードが到来するたびに、１個の第２シフトレジスタ５６３に保持させてもよい。
【００３７】
シンボルカウンタ５５はシンボル同期信号に応じて、入力されたシンボルを計数する。シンボルカウンタ５５は、フレーム同期信号検出部５６が入力されるとシンボルの計数処理を停止し、そのときのカウント値を含むフレーム同期検出タイミング信号Ｓ５５をＴＭＣＣ信号復号器５４に出力する。
ＴＭＣＣ信号復号器５４はフレーム同期検出タイミング信号Ｓ５５に含まれる同期検出されたシンボル位置を参照して、ＴＭＣＣ信号の復号処理を行う。
【００３８】
このように、第１実施の形態のフレーム同期／ＴＭＣＣ信号復号部５０は、受信したＴＭＣＣ信号のビットが、ユニークワードＷ１、Ｗ２に一致しているか否かを検出して、フレームの同期検出を行い、検出したフレーム同期タイミングに応じてＴＭＣＣ信号を復号している。
第１実施の形態のフレーム同期／ＴＭＣＣ信号復号部５０によれば、上述した問題（１）〜（４）を克服している。すなわち、第１実施の形態のフレーム同期／ＴＭＣＣ信号復号部５０によれば、（ａ）受信装置２０の電源投入直後の同期検出も可能であり、（ｂ）あるチャネルを選択した後、所定時間が経過してから改めてそのチャネルを選択した場合も、同期をとることができ、（ｃ）クロックの時間ずれが起きても、同期タイミングがずれることがなく、（ｄ）正確な同期のもとで、誤り訂正処理を行うことができる。
しかしながら、第１実施の形態のフレーム同期／ＴＭＣＣ信号復号部５０は依然として、下記の問題に遭遇する。
【００３９】
（イ）同期検出用の基準のデータパターン（ユニークワード）は１フレームに１回送出されるので、同期検出用のユニークワードが送出された後は、次のフレームの同期検出用のユニークワードＷが送出されるタイミングまで待たないと、上記フレーム同期の検出ができない。その結果、依然として、検出タイミングによってはフレーム同期の検出タイミングが遅くなる。
（ロ）同期検出用のユニークワードＷは、たとえば、１６ビット程度の限られた長さしかないので、ＯＦＤＭ変調を行っても、ノイズ、マルチパスなどが多発する劣悪な環境下では同期状態を検出する確率を十分に上げることが困難な場合がある。
【００４０】
第２実施の形態のフレーム同期／ＴＭＣＣ信号復号部
図６および図７を参照して、本発明の第２実施の形態のフレーム同期検出回路について述べる。
第２実施の形態のフレーム同期／ＴＭＣＣ信号復号部５０Ａは、第１実施の形態のフレーム同期／ＴＭＣＣ信号復号部５０と同様、図１の受信装置２０のフレーム同期／ＴＭＣＣ信号復号部２６部分に適用される。
第２実施の形態のフレーム同期状態検出回路は、上述した問題（１）〜（４）を克服し、かつ、上述した（イ）、（ロ）の問題を克服する。
【００４１】
本発明の第２実施の形態のフレーム同期／ＴＭＣＣ信号復号部５０Ａは、ＴＭＣＣ信号抽出部５１と、差動復号部５２と、ＴＭＣＣ信号ビット判定部５３と、ＴＭＣＣ信号復号器５４と、シンボルカウンタ５５と、フレーム同期検出部５６とを有する。ただし、シンボルカウンタ５５は、第１実施の形態のフレーム同期／ＴＭＣＣ信号復号部５０におけるシンボルカウンタ５５とは若干異なる。
フレーム同期／ＴＭＣＣ信号復号部５０Ａはさらに、相関処理部５７と、相関ピーク検出部５８と、ＴＭＣＣ信号復号部５９と、チャネルＴＭＣＣ情報メモリ６０と、第１セレクタ６１と、第２セレクタ６２と、制御処理部６５とを有する。
【００４２】
第２実施の形態のフレーム同期／ＴＭＣＣ信号復号部５０Ａの詳細を述べる前に、第２実施の形態のフレーム同期／ＴＭＣＣ信号復号部５０Ａの基本構想とそのための回路構成について述べる。
【００４３】
（１）第１基本構想と回路構成
ＩＳＤＢ−Ｔシステム１の実際の運用上の背景として、ＴＭＣＣ信号に埋め込まれているパラメータは放送毎に決められており、それらは通常、殆ど変わることがない。この事を利用して本発明の第２実施の形態のフレーム同期／ＴＭＣＣ信号復号部５０Ａでは、あるチャンネルの前回のＴＭＣＣ信号の復号結果をメモリに保持しておき、前回のＴＭＣＣ信号の復号結果と今回のＴＭＣＣ信号との相関を求める。相関度が高ければ、フレーム同期がとれたと推定できる。
【００４４】
そのため、第２実施の形態のフレーム同期／ＴＭＣＣ信号復号部５０Ａには、前回のＴＭＣＣ信号をチャネルごと保持するチャネル前回ＴＭＣＣ情報メモリ６０と、チャネル前回ＴＭＣＣ情報メモリ６０から指定されたチャネルのＴＭＣＣ信号を選択出力する第２セレクタ６２と、第２セレクタ６２から選択出力されたＴＭＣＣ信号を復号するチャネル前回ＴＭＣＣ信号復号部５９と、チャネル前回ＴＭＣＣ信号復号部５９の結果とＴＭＣＣ信号ビット判定部５３の結果との相関を求める相関処理部５７と、相関処理部５７で求めた相関の最大値を求める相関ピーク検出部５８とを有する。
制御処理部６５はフレーム同期／ＴＭＣＣ信号復号部５０Ａの全体制御処理を行うが、たとえば、前回のＴＭＣＣ信号をチャネル前回ＴＭＣＣ情報メモリ６０ないの該当するチャネル部分に保持させたり、第２セレクタ６２から該当するチャネルの前回のＴＭＣＣ信号を選択出力させるための第２選択信号ＳＥＬ２を出力する。
【００４５】
このような構成および構想によれば、基本的に、ユニークワードを用いることなく、かつ、毎フレームのユニークワードの到来を待つことなく、フレームの同期をとることができる。
【００４６】
（２）第２基本構想と回路構成
チャネル前回ＴＭＣＣ情報メモリ６０には前回のＴＭＣＣ信号が保持されている。したがって、ＴＭＣＣ信号復号器５４においてＴＭＣＣ信号を復号する前に、チャネル前回ＴＭＣＣ情報メモリ６０に保持されている前回のチャネルのＴＭＣＣ信号を第１セレクタ６１を経由して取り敢えず出力することにより、１フレームを待たずに、誤り訂正処理部２５がＴＭＣＣ信号の誤り訂正処理を行うことができる。
【００４７】
そのため、チャネル前回ＴＭＣＣ情報メモリ６０にチャネルごとのＴＭＣＣ信号を保持しておくことと、第１セレクタ６１を付加して、制御処理部６５からの第２選択信号ＳＥＬ２によりチャネル前回ＴＭＣＣ情報メモリ６０から該当するチャネルのＴＭＣＣ信号を第１セレクタ６１にも出力し、第１セレクタ６１に対して第１選択信号ＳＥＬ１を出力して、第２セレクタ６２から選択出力された前回のＴＭＣＣ信号を第１セレクタ６１から出力することもできる。
【００４８】
（３）第３基本構想と回路構成
第３基本構想は、第１実施の形態のフレーム同期／ＴＭＣＣ信号復号部５０におけるフレーム同期信号検出部５６と同様のフレーム同期信号検出部５６を設けて、ユニークワードＷ１、Ｗ２を用いたフレーム同期検出処理を行う。
すなわち、チャネルＴＭＣＣ情報メモリ６０に保持していたＴＭＣＣ信号が現在受信中のものと異なっていた場合を想定し、第１実施の形態のフレーム同期／ＴＭＣＣ信号復号部５０と同じ回路構成を持つフレーム同期信号検出部５６において、同期信号（ユニークワードＷ１、Ｗ２）のみを用いたフレーム同期検出処理を行う。
【００４９】
以上から、シンボル同期信号を計数するシンボルカウンタ５５は、相関ピーク検出部５８からの相関ピーク検出信号Ｓ５８またはフレーム同期検出信号Ｓ５６のいずれかに応じて、シンボル同期信号の計数を停止して、ＴＭＣＣ信号復号器５４にフレーム同期検出タイミング信号Ｓ５５Ａを出力する。
【００５０】
（４）第４基本構想と回路構成
一旦、フレーム同期がとれた後も、フレーム同期が外れていないかを確認するために、フレーム同期の捕捉と同じ様な処理を行う必要があるが、第２実施の形態のフレーム同期／ＴＭＣＣ信号復号部５０Ａにおいては、第１実施の形態のフレーム同期／ＴＭＣＣ信号復号部５０におけるフレーム同期検出部５６における１６ビットのユニークワード（同期信号）との比較ではなく、相関処理部５７における２０４ビットとの比較を用いる事が出来るので、より正確なフレーム同期検出を行うことが出来る。
このための回路構成は、第１基本構想のための回路構成と同じである。
【００５１】
以下、第２実施の形態のフレーム同期／ＴＭＣＣ信号復号部５０Ａの動作の詳細を述べる。
ＴＭＣＣ信号抽出部５１と、差動復号部５２、ＴＭＣＣ信号ビット判定部５３、ＴＭＣＣ信号復号器５４の動作は、上述した第１実施の形態のフレーム同期／ＴＭＣＣ信号復号部５０におけるＴＭＣＣ信号抽出部５１と、差動復号部５２、ＴＭＣＣ信号ビット判定部５３およびＴＭＣＣ信号復号器５４の動作と同様である。
【００５２】
ＴＭＣＣ信号抽出部５１は、ＦＦＴ処理部２４から信号が印加された信号のうち、ユーザが指定したチャネルのＴＭＣＣ信号を抽出して、差動復号部５２に出力する。差動復号部５２は、抽出されたＴＭＣＣ信号を差動復号する。
【００５３】
制御処理部６５は、ユーザが指定したチャネルに対応するチャネルのＴＭＣＣ信号をチャネル前回ＴＭＣＣ情報メモリ６０から第２セレクタ６２を経由して取り出し、チャネル前回ＴＭＣＣ信号復号部５９に出力する。
チャネル前回ＴＭＣＣ信号復号部５９は入力された前回のチャネルのＴＭＣＣ信号を復号して、相関処理部５７に出力する。チャネル前回ＴＭＣＣ信号復号部５９はＴＭＣＣ信号復号器５４と同様の回路構成をしているが、復号すべき大使脳が異なる。
第１基本構想として述べたように、ＩＳＤＢ−Ｔシステム１の実際の運用において、ＴＭＣＣ信号に埋め込まれているパラメータは放送毎に決められており、それらは通常、殆ど変わることがない。したがって、制御処理部６５は各チャンネルの前回のＴＭＣＣ信号の復号結果をチャネル前回ＴＭＣＣ情報メモリ６０の該当する領域に保持しておき、フレーム同期検出を行う際、チャネル前回ＴＭＣＣ情報メモリ６０から該当するチャネルの前回のＴＭＣＣ信号を取り出し、チャネル前回ＴＭＣＣ信号復号部５９で復号させ、相関処理部５７において、その復号結果と、ＴＭＣＣ信号ビット判定部５３からの今回のＴＭＣＣ信号（ビット）との相関を求めさせる。
相関ピーク検出部５８が相関度の最も高いものを検出する。
【００５４】
図６は相関処理部５７、相関ピーク検出部５８およびフレーム同期信号検出部５６の詳細回路構成図である。
【００５５】
フレーム同期信号検出部５６の回路構成は、図５に図解した回路構成と同じである。
【００５６】
相関処理部５７は、複数の単位遅延素子からなる第１シフトレジスタ５７１と、複数の単位遅延素子からなる第２シフトレジスタ５７３と、相関処理部５７２とからなる。
第１シフトレジスタ５７１にはＴＭＣＣ信号ビット判定部５３からのＴＭＣＣ信号が所定のビット単位で入力されて、シンボル同期信号に応じて、シンボルの受信ごとに単位遅延素子内を順次転送されていく。この動作はフレーム同期信号検出部５６内の第１シフトレジスタ５６１の動作と同様である。
第２シフトレジスタ５７３にはチャネル前回ＴＭＣＣ信号復号部５９で復号されたＴＭＣＣ信号の全ビット（２０４）が保持されている。
相関処理部５７２は、第１シフトレジスタ５７１に保持されたＴＭＣＣ信号ビットデータと第２シフトレジスタ５７３に保持されている前回のＴＭＣＣ信号を復号したＴＭＣＣ信号との相関を求める。
第２シフトレジスタ５７３は、ＴＭＣＣ信号の全ビット（２０４）を保持できる容量を持つ。他方、第１シフトレジスタ５７１のビット数は多いほうが、第２シフトレジスタ５７３に保持されているＴＭＣＣ信号ビットとの間で信頼性の高い相関を求めることができる。ただし、ビット数が多くなると、回路構成が複雑るなり、相関を求める時間が長くなる。そこで、回路構成の簡略化および相関処理速度と信頼性との両者の考慮して第１シフトレジスタ５７１のビット数を決定する。なお、フレーム同期信号検出部５６におけるユニークワードのビット数が本実施の形態において、１６ビットであることを考慮し、フレーム同期信号検出部５６におけるユニークワードを用いたフレーム同期検出と同程度の信頼性を維持するためには、第１シフトレジスタ５７１のビット数を１６ビットとする。
【００５７】
相関ピーク検出部５８は、総和演算部５８１と、最大値検出部５８２と、フレーム同期位置検出部５８３とを有する。
総和演算部５８１は、相関処理部５７の相関処理部５７２で求めた相関値を演算する。
最大値検出部５８２は総和演算部５８１で演算した相関値の最大値を求める。フレーム同期位置検出部５８３は、最大値検出部５８２で求めた相関値の最大が発生した位置、すなわち、フレーム同期位置を検出し、フレーム同期が検出されたこと、および、フレーム同期検出位置を示す相関ピーク検出信号Ｓ５８をシンボルカウンタ５５に出力する。
【００５８】
相関処理部５７２における相関の求め方と相関ピーク検出部５８における相関ピークの検出の例を述べる。ただし、説明を簡単にするため、第２シフトレジスタ５７３は１４ビットとして、第１シフトレジスタ５７１は４ビットとする。
【００５９】
（１）第２シフトレジスタ５７３には前回のＴＭＣＣ信号を復号した結果の下記の１４ビットデータが保持されている。
〔１  -1   -1   １  -1  １  １  -1  -1  １  -1  １  １  -1  〕
【００６０】
（２）第１シフトレジスタ５７１に〔１ -1   １  １  〕のビットデータがＴＭＣＣ信号ビット判定部５３からシンボル同期信号に応じてシンボルごと入力されている。
【００６１】
（３）〔１  -1  １  １  〕が第１シフトレジスタ５７１内を転送されて、下記の位置において、第２シフトレジスタ５７３のビットデータと相関を求めたとき、下記の位置関係において、相関処理部５７２において相関を求めた。
〔１  -1  -1  １  -1  １  １  -1  -1  １  -1  １  １  -1  〕
〔１  -1  １  １〕
【００６２】
（４）ビットの値が同じときを「１」として、異なるときを「−１」とすると、相関処理部５７２における相関結果は下記になる。
〔１  １  -1  １〕
【００６３】
相関ピーク検出部５８の総和演算部５８１が求めたこのときの総和は２で、最大値検出部５８２は、ＴＭＣＣ信号ビット判定部５３からのビットデータが第１シフトレジスタ５７１内をシフトして、第２シフトレジスタ５７３のビットデータの各所と相関したときの相関結果の総和において、最大値であったとする。
したがって、上記ビット配置において相関の最大値が存在したことになる。
【００６４】
（５）次にフレーム同期位置検出部５８３が相関が最大になったフレーム同期位置を推定する。
この相関結果〔１  １  -1１〕と、第１シフトレジスタ５７１に入力されたビットデータ〔１  -1１１〕と対比し、同じときを「−１」にし、異なる時を「１」とすると、〔-1  １  １ -1 〕となる。
この値を順次加算していくと、〔-1  ０  １  -1 ]となり、フレーム同期位置検出部５８３は「０」から「１」に変化した時点においてフレーム同期があったとして検出し、フレーム同期位置検出部５８３は相関ピーク検出信号Ｓ５８をシンボルカウンタ５５に出力する。
【００６５】
このように、相関処理部５７および相関ピーク検出部５８における相関処理は比較的簡単な回路構成で、かつ、短時間で実施することができる。
【００６６】
フレーム同期信号検出部５６においても、ユニークワードＷ１、Ｗ２と、ＴＭＣＣ信号ビット判定部５３から取り出されたＴＭＣＣ信号のビットデータについて一致しるか否かの処理が行われる。
【００６７】
もし、ＴＭＣＣ信号ビット判定部５３から取り出されたＴＭＣＣ信号のビットデータが、丁度、ユニークワードＷ１、Ｗ２であったなら、フレーム同期信号検出部５６によるフレーム同期の検出と、相関処理部５７によるフレーム同期の検出は、ほぼ同じになる。
しかしながら、ユニークワードＷ１、Ｗ２以外の部分で、フレーム同期信号検出部５６と相関処理部５７の処理が行われた場合、フレーム同期信号検出部５６によるフレーム同期検出は行われず、次のフレームの先頭におけるユニークワードＷが存在するまで待機しなければならない。一方、相関処理部５７において、前回復号されたＴＭＣＣ信号のいずれかのビット配置と今回のＴＭＣＣ信号のビット配置において相関が最も高くなる部分で、相関ピーク検出信号Ｓ５８が出力される。したがって、相関処理部５７においては、前回のＴＭＣＣ信号を復元したビット配置の任意の部分において、フレーム同期を検出することが可能となり、一般的に言えば、相関処理部５７によるフレーム同期の検出が速くなる。
【００６８】
その結果、相関ピーク検出信号Ｓ５８を用いてシンボルカウンタ５５からフレーム同期検出タイミング信号Ｓ５５を発生させ、そのタイミングでＴＭＣＣ信号復号器５４においてＴＭＣＣ信号を復号すれば、第１実施の形態のフレーム同期／ＴＭＣＣ信号復号部５０における復号より迅速にＴＭＣＣ信号を復号でき、そのような復号したＴＭＣＣ信号を用いて誤り訂正処理部２５において迅速に誤り訂正処理を行うことができる。
この場合、制御処理部６５は、第１セレクタ６１に対して、ＴＭＣＣ信号復号器５４の結果を選択出力する第１選択信号ＳＥＬ１を出力する。
制御処理部６５は、ＴＭＣＣ信号復号器５４でＴＭＣＣ信号を復号した結果をチャネル前回ＴＭＣＣ情報メモリ６０の該当するチャネル部分に記憶させて、次の処理に備える。
【００６９】
以上の処理結果として、チャネルを選択してから、大きな時間遅れなく、テレビジョン受像機から放送を行うことができる。
【００７０】
フレーム同期信号検出部５６は、第３基本構想として述べたように、チャネル前回ＴＭＣＣ情報メモリ６０に前回のチャネルのＴＭＣＣ信号が保存されていないときに、第１実施の形態と同様に機能する。
すなわち、チャネルＴＭＣＣ情報メモリ６０に保持していたＴＭＣＣ信号が現在受信中のものと異なっていた場合をも想定し、同期信号（ユニークワードＷ１、Ｗ２）のみを用いたフレーム同期検出処理も行っており、第１実施の形態のフレーム同期／ＴＭＣＣ信号復号部５０の処理機能をも備えている。
【００７１】
さらに第２基本構想と回路構成において述べたように、チャネル前回ＴＭＣＣ情報メモリ６０には前回のＴＭＣＣ信号が保持されているから、ＴＭＣＣ信号復号器５４においてＴＭＣＣ信号を復号する前に、チャネル前回ＴＭＣＣ情報メモリ６０に保持されている前回のチャネルのＴＭＣＣ信号を第１セレクタ６１を経由して取り敢えず出力して、１フレームを待たずに、誤り訂正処理部２５がＴＭＣＣ信号の誤り訂正処理を行う場合、制御処理部６５はそのため、第１セレクタ６１に第１選択信号ＳＥＬ１を出力し、第２セレクタ６２に第２選択信号ＳＥＬ２を出力する。
【００７２】
また一旦、相関処理部５７および相関ピーク検出部５８によってフレーム同期が取れた後も、フレーム同期が外れていないかを確認するために、フレーム同期の捕捉と同じ様な処理を行う必要があるが、この時にも、フレーム同期信号検出部５６における１６ビットのユニークワード（同期信号）との比較ではなく、相関処理部５７および相関ピーク検出部５８によるＴＭＣＣ信号の２０４ビットとの比較を用いる事が出来るので、より正確なフレーム同期検出を行うことが出来る。
【００７３】
なお、実際には、一部のＴＭＣＣ信号のパラメータは予測が難しいものもある。その様なビットについては、ＴＭＣＣ信号復号器５４におけるＴＭＣＣ信号のデコード出力には２値の間の値（０／１の場合には０．５、−１／＋１の場合には０）を入れておくことで、これらのビットは、相関処理部５７の相関処理部５７２における相互相関処理時には無視させることができる。
【００７４】
以上述べたように、フレーム同期／ＴＭＣＣ信号復号部５０Ａによれば、一定単位のＴＭＣＣ信号のフレーム同期を迅速に検出でき、その結果として、誤り訂正処理部２５の処理および復号処理が迅速に行うことができる。
【００７５】
また、ノイズ、マルチパスの影響が大きな劣悪な環境化でも、相関処理部５７および相関ピーク検出部５８における多数のビットのＴＭＣＣ信号を用いた相互相関を適用することにより、安定してフレーム同期検出が可能となる。
【００７６】
もちろん、第２実施の形態のフレーム同期／ＴＭＣＣ信号復号部５０Ａによれば、受信装置２０の電源投入から、そのチャンネルが最初に選択された場合でも使え、チャンネル選択の時間間隔が大きく開いても、全く問題なく使う事が出来る。
【００７７】
以上は本発明のフレーム同期状態検出回路およびそれを用いた信号復号装置の好適実施の形態として、ディジタル地上波放送システムにおけるＩＳＤＢ−Ｔシステム１を例示したが、本発明のフレーム同期状態検出回路とそれを用いた信号復号装置は、ＯＦＤＭ変復調を行う地上波ディジタル放送システム、ＴＭＣＣ信号を用いる通信システムへの適用に限定されるわけではない。
第１実施の形態として述べたフレーム同期信号検出部５６によるフレーム同期検出は他の通信システムにおいても適用できる。
また第２実施の形態として述べた、チャネル前回ＴＭＣＣ情報メモリ６０に記憶させておいた前回のＴＭＣＣ信号と今回のＴＭＣＣ信号とを相関処理部５７において相関をとり、相関ピーク検出部５８において最大の相関関係が生じた位置をフレーム同期部分とする技術は、地上波ディジタル放送システムなどに限定される訳ではない。
【図面の簡単な説明】
【００７８】
【図１】図１は本発明のフレーム同期状態検出回路および受信装置が適用される１例としての地上波ディジタル放送システム（ＩＳＤＢ−Ｔ）の構成図である。
【図２】図２は、図１における送信装置におけるデータにＴＭＣＣ信号を挿入した信号波形図である。
【図３】図３は図２に図解したＴＭＣＣ信号の構成図である。
【図４】図４は図２に図解したＴＭＣＣ信号の内容を図解する図である。
【図５】図５は本発明の第１実施の形態のフレーム同期状態検出回路の構成図である。
【図６】図６は本発明の第２実施の形態のフレーム同期状態検出回路の構成図である。
【図７】図７は図６に図解したフレーム同期状態検出回路内の相関処理部、相関ピーク検出部およびフレーム同期信号検出部の回路構成図である。
【符号の説明】
【００７９】
１…ディジタル地上波放送システム（ＩＳＤＢ−Ｔシステム）
１０…送信装置
１１…データ生成部、１２…ＴＭＣＣ信号生成部
１３…ＴＭＣＣ信号挿入部、１４…ＩＦＦＴ処理部
１５…パラレル／シリアル変換器、１６…無線送信部
１７…送信用アンテナ
２０…受信装置２０そ２０
２１…受信用アンテナ、２２…チューナー
２３…シリアル／パラレル変換器、２４…ＦＦＴ処理部
２５…誤り訂正処理部、
２６…フレーム同期／ＴＭＣＣ信号復号部
５０、５０Ａ…フレーム同期／ＴＭＣＣ信号復号部
５１…ＴＭＣＣ信号抽出部、５２…差動復号部
５３…ＴＭＣＣ信号ビット判定部、
５４…ＴＭＣＣ信号復号器、
５５…シンボルカウンタ、
Ｓ５５…フレーム同期検出タイミング信号
５６…フレーム同期信号検出部
５６１…第１シフトレジスタ
５６２…コンパータ
５６３…第２シフトレジスタ
Ｓ５６…フレーム同期検出信号
５７…相関処理部
５７１…第１シフトレジスタ
５７２…相関処理部
５７３…第２シフトレジスタ
５８…相関ピーク検出部
５８１…総和演算部
５８２…最大値検出部
５８３…フレーム同期位置検出部
Ｓ５８…相関ピーク検出信号
５９…チャネル前回ＴＭＣＣ信号復号部
６０…チャネル前回ＴＭＣＣ情報メモリ
６１…第１セレクタ、６２…第２セレクタ
６５…制御処理部
【図１】
2005348007.tif 000003
【図２】
2005348007.tif 000004
【図３】
2005348007.tif 000005
【図４】
2005348007.tif 000006
【図５】
2005348007.tif 000007
【図６】
2005348007.tif 000008
【図７】
2005348007.tif 000009